(57)【要約】【課題】ボイラーで過熱された熱水や蒸気が水タンクに逆流したことを直ちに検知してボイラーの運転を停止させて安全に使用できる衣類用等のスチーマを提供する。【解決手段】蒸気ノズル５とボイラー２を可撓性ホース４により接続して、かつ、ボイラー２に水を一定水位になるように水タンクから供給する電気湯のし器の衣類用等のスチーマにおいて、ボイラー２と水タンク３との間に温度センサー６を設けて該温度センサー６が温度上昇を検知した時にボイラー２への通電を遮断する安全装置を設ける。【選択図】図２
0003140439.tif 000002
【実用新案登録請求の範囲】
【請求項１】
蒸気ノズルとボイラーを可撓性ホースにより接続して、かつ、ボイラーに水を一定水位になるように水タンクから供給する電気湯のし器の衣類用等のスチーマにおいて、ボイラーと水タンクとの間に温度センサーを設けて該温度センサーが温度上昇を検知した時にボイラーへの通電を遮断する安全装置を設けたことを特徴とする衣類用等のスチーマ。
【請求項２】
温度センサーを水タンクからボイラーに水を送る送水管の表面に設けた請求項１に記載の衣類用等のスチーマ。
【請求項３】
水タンクに逆流した水を受け止めるリザーブタンクを設けた請求項１又は２に記載の衣類用等のスチーマ。
【考案の詳細な説明】
【技術分野】
【０００１】
本考案は、衣類やカーテン、椅子カバー等に蒸気を噴射してしわ伸ばしを行うための衣類用等のスチーマに関するものである。
【背景技術】
【０００２】
衣類用等のスチーマとしては、ボイラーに接続したホースの先端に取り付けたノズルを把持してホースを引き回しながら衣類に蒸気を噴射してしわ伸ばしを行うものが知られている（例えば、特許文献１参照）。ところが、これはボイラーへの水タンクからの水の供給を電気ポンプにより行うものであるためコスト高となるものであった。
【０００３】
そこで、電気ポンプを使用することなく、ボイラーに水を余剰な水が流れ込まず水が一定水位になるように水タンクから供給する電気湯のし器を採用したものもある。しかしながら、これはホースを引き回しながら衣類に蒸気を噴射する際にホースが上下に蛇行して撓んだ場合に、ボイラーで発生した蒸気が結露してホース内に溜まり蒸気が出なくなり、後から送られてくる蒸気がこの結露を押してさらに結露されて、また、ホースを持ち上げた場合に結露がボイラーに流れ込んで、ボイラーで過熱された熱水や蒸気が水タンクに逆流して漏れ出して使用者に掛かりやけどをする虞がある。
【特許文献１】実用新案登録第３１２０９３２号公報
【考案の開示】
【考案が解決しようとする課題】
【０００４】
本考案は前記のような問題点を解決して、ボイラーで過熱された熱水や蒸気が水タンクに逆流したことを検知してボイラーの運転を停止させて安全に使用できる衣類用等のスチーマを提供することを目的として完成されたものである。
【課題を解決するための手段】
【０００５】
本考案の衣類用等のスチーマは、蒸気ノズルとボイラーを可撓性ホースにより接続して、かつ、ボイラーに水を一定水位になるように水タンクから供給する電気湯のし器の衣類用等のスチーマにおいて、ボイラーと水タンクとの間に温度センサーを設けて該温度センサーが温度上昇を検知した時にボイラーへの通電を遮断する安全装置を設けたことを特徴とするものを基本の考案とする。
【０００６】
また、前記の考案において、温度センサーを水タンクからボイラーに水を送る送水管の表面に設けたものとすればより好ましいものである。さらに、水タンクに逆流した水を受け止めるリザーブタンクを設けることが好ましいものである。
【考案の効果】
【０００７】
前記した本考案の衣類用等のスチーマは、ボイラーで発生した蒸気が結露して可撓性ホース内に溜まりそれがボイラーに流れ込んだ場合に、ボイラー内の水を一定水位にする電気湯のし器においては、流れ込んだ結露によりボイラーで過熱された熱水や蒸気が水タンクに逆流する。しかしながら、本考案はボイラーと水タンクとの間に設けた温度センサーが温度上昇を検知して安全装置を作動させてボイラーへの通電を遮断して運転を停止することとなるで、この後はボイラーで水が加熱されないので、熱水や蒸気が水タンクにこれ以上逆流して漏れ出して使用者に掛かりやけどを負う虞のないものである。
【０００８】
また、温度センサーを水タンクからボイラーに水を送る送水管の表面に設けたものであれば設置が容易であり水の逆流の初期段階において検知できるものである。さらに、水タンクに逆流した熱水を受け止めるリザーブタンクを設けたものであれば、加熱されない水が多量に逆流してもリザーブタンクに溜まり水タンクの送水口より漏れ出て回りを汚染することがないものである。
【考案を実施するための最良の形態】
【０００９】
次に、本考案の好ましい実施の形態を図に基づき説明する。
図１は本考案に係る衣類用等のスチーマの実施形態を示す外観図、図２は実施形態を示す概略ブロック図である。
【００１０】
１は床置き式のスチーマ本体であり、該スチーマ本体１にはシーズヒーターを鋳込んだアルミダイカストよりなる蒸気発生用の電気式のボイラー２と該ボイラー２に水を供給する水タンク３が搭載されている。そして、ボイラー２の蒸気排出口には可撓性ホース４が着脱自在に接続されており、該可撓性ホース４の先端には蒸気ノズル５が取り付けられている。なお、スチーマ本体１は肩掛けバンドを装着したショルダー式であっても、また、床置き式とショルダー式の兼用であってもよい。
【００１１】
また、前記水タンク３からボイラー２への水の供給は、ボイラー２の水が一定水位を保って供給される電気湯のし器により行うものである。また、ボイラー２と水タンク３との間に温度センサー６が設けられている。この温度センサー６は水タンク３からボイラー２に水を送る送水管７の表面に設けて送水管７内の水の温度上昇を検知して、安全装置である回路遮断器６ａを作動させてボイラー２への通電を遮断してボイラー２での水の加熱を停止するものである。
【００１２】
また、８は水タンク３に設けたリザーブタンクであり、該リザーブタンク８はボイラー２から逆流する水を受け止めて水タンク３から水が漏れ出ることのないものとしている。９はバイメタルスイッチであり、該バイメタルスイッチ９は水タンク３が空となりボイラー２に水が供給されずに空焚き状態となり一定以上に温度上昇したとき安全スイッチ９ａを作動させ通電を遮断するものである。１０は先端にプラグ１０ａを設けた電源コード、１１はメーンスイッチ、１２は送水管７の先端に設けた水抜き用の排水栓、１３は温度ヒューズである。
【００１３】
このように構成されたものは、水タンク３に水を供給したうえスチーマ本体１にセットして電源コード１０の先端のプラグ１０ａを電源コンセントに差し込んでメーンスイッチ１１をＯＮとする。そうすれば、電気湯のし器により水タンク３からボイラー２に送られて来た水はボイラー２内で一定の水位を保持したまま加熱されて蒸気となり蒸気排出口に接続した可撓性ホース４を通過したうえ該可撓性ホース４の先端にとり付けた蒸気ノズル５から噴出されるものである。
【００１４】
そして、蒸気ノズル５の把持部５ａを手で持ち可撓性ホース４を引き回しながらハンガーに掛けた衣類に蒸気を噴射して衣類のしわ伸ばしを行うものである。そこで、通常の使用状態においては、ボイラー２で加熱されて発生した蒸気は順次可撓性ホース４を介して蒸気ノズル５から噴出され可撓性ホース４内に滞留することはないものである。
【００１５】
ところが、可撓性ホース４は引き回しながら使用するものであるため稀には上下に蛇行して撓むことがある。この撓み状態が続くと撓んだ箇所に結露ができて溜まり蒸気が出なくなり、後から送られてくる蒸気がこの結露を押してさらに結露して、また、可撓性ホース４を持ち上げて撓みが解けた場合に結露がボイラー２に流れ込むこととなる。
【００１６】
そうすると、本考案において採用しているボイラー２に水を一定水位になるよう水タンク３から供給する電気湯のし器によるものにあっては、ボイラー２に流れ込む結露により水位が一定以上に上昇することを防止するためボイラー２内の余剰水を水タンク３に逆流させることとなるり、ボイラー２で過熱された熱水や蒸気が水タンク３に逆流して漏れ出して使用者に掛かりやけどをする虞がある。
【００１７】
しかしながら、本考案ではボイラー２と水タンク３との間に温度センサー６が設けてあり、ボイラー２で過熱された熱水や蒸気が水タンク３に逆流した場合該温度センサー６が温度上昇を検知して安全装置を作動させてボイラー２への通電を遮断して運転を停止することとなる。これにより、ボイラー２で水が加熱されないので、熱水や蒸気が水タンク３に逆流して漏れ出して使用者に掛かりやけどを負う虞がなく安全に使用できるものである。
【図面の簡単な説明】
【００１８】
【図１】本考案の実施形態を示す外観図
【図２】本考案の実施形態を示す概略ブロック図。
【符号の説明】
【００１９】
２  ボイラー
３  水タンク
４  可撓性ホース
５  蒸気ノズル
６  温度センサー
７  送水管
８  リザーブタンク
【図１】
0003140439.tif 000003
【図２】
0003140439.tif 000004